(57)【要約】【課題】  蛍イカの季節である４，５月ばかりでなく、一年を通じて使用に適する蛍イカ様ルアーを提供する。【解決手段】  小魚に似せたルアーにおいて、少なくとも背部に蛍イカ様の着色を施し、後端部に透明または半透明に透けて見える内部空間の尾部室を設け、尾部室の外壁の表面に蛍イカの足模様を線描状に表し、尾部室に１個または数個の蛍光玉を内装した。【効果】  表面の足模様とその部分の尾部室に納まる蛍光玉とから、蛍イカがイメージ的に捉えられるために、これを蛍イカとしてフィッシュイーターが食いつくことになる。したがって、蛍イカの季節である４，５月頃の使用に特に適するが、一方、小魚に似ているために、一年を通じての使用にも適し、このとき、特徴的であるためにフィッシュイーターの注意を引くことになって釣果を上げることができる。特に、目玉模様を表してあると、蛍イカにさらに似ていることになるために、釣果を一層上げることができる。【選択図】    図１
2006197827.tif 000002
【特許請求の範囲】
【請求項１】
小魚に似せたルアーにおいて、少なくとも背部に蛍イカ様の着色を施し、後端部に透明または半透明に透けて見える内部空間の尾部室を設け、尾部室の外壁の表面に蛍イカの足模様を線描状に表し、尾部室に１個または数個の蛍光玉を内装したことを特徴とする蛍イカ様ルアー。
【請求項２】
足模様の足付け根部分の両脇腹部に、蛍イカの目玉模様を表したことを特徴とする請求項１記載の蛍イカ様ルアー。
【発明の詳細な説明】
【技術分野】
【０００１】
この発明は、ルアーフィッシングに使用する疑似餌としての新規な蛍イカ様ルアーに関する。
【背景技術】
【０００２】
ルアーフィッシングは、小魚やエビ、カニなどの甲殻類、陸生昆虫、水生昆虫を餌とするフィッシュイーターの食欲や攻撃本能を刺激して釣り上げるゲームであって、湖や川、海などがフィールドになる。蛍イカは富山湾、特に魚津、滑川沖の深海に多く生息している。そして、４，５月頃に海岸に向かって発光しながら幻想的に押し寄せてくる珍魚であるが、従来、この形態をルアーに利用することはなかった。この理由として考えられることは、蛍イカが深海魚であってその生態が良く分かっていないこと、そして、１年のうち、２〜３ヵ月間の限られた季節にのみ海岸に現れるために、多くの時期においては季節外れのルアーとなるということが考えられる。
【０００３】
ルアーの種類は非常に多く、形態の違いで、主に小魚に似せたプラグを始め、スプーンの形をしたスプーン、シャフトに取り付けられたブレイドが水の抵抗で回転するようにしたスピナー、二股の金属製アームの一方にブレイドが付き他方にラバースカートとフックが付いているスピナーベイト、フックの付いたオモリであるジグ、餌となる昆虫や小動物をイメージしたソフトルアーの６種類に分類される。そのうち、プラグは、ミノーとクランクベイト、バイブレーション、トップウォーターの４つに分類され、ミノーが細身のボディをしているのに対してクランクベイトはずんぐりしている違いがあるが双方ともに小魚の形をしており、他の２者も小魚に似せたものが多い。
【０００４】
ルアーのこのような種類から、蛍イカに似せるとすれば、蛍イカには多数の足があるのでそれがスカートに見えることからスピナーベイトに属させることができるし、全体をソフトプラスチックで成形するのにも適しているからソフトルアーに属させて作ることができる。しかし、蛍イカの形そのままであると、４，５月頃を外れた季節にはフィッシュイーターの食いつきも悪くなる。また、季節外れには釣り人が使用に抵抗することが考えられる。
【発明の開示】
【発明が解決しようとする課題】
【０００５】
この発明は、上記のような実情に鑑みて、蛍イカの季節である４，５月ばかりでなく、一年を通じて使用に適する蛍イカ様ルアーを提供することを課題とした。
【課題を解決するための手段】
【０００６】
上記の課題を解決するために、この発明は、小魚に似せたルアーにおいて、少なくとも背部に蛍イカ様の着色を施し、後端部に透明または半透明に透けて見える内部空間の尾部室を設け、尾部室の外壁の表面に蛍イカの足模様を線描状に表し、尾部室に１個または数個の蛍光玉を内装したことを特徴とする蛍イカ様ルアーを提供するものである。
【発明の効果】
【０００７】
この発明の蛍イカ様ルアーによれば、表面の足模様とその部分の尾部室に納まる蛍光玉とから、蛍イカがイメージ的に捉えられるために、これを蛍イカとしてフィッシュイーターが食いつくことになる。したがって、蛍イカの季節である４，５月頃の使用に特に適するが、一方、小魚に似ているために、一年を通じての使用にも適し、このとき、特徴的であるためにフィッシュイーターの注意を引くことになって釣果を上げることができる。特に、目玉模様を表してあると、蛍イカにさらに似ていることになるために、釣果を一層上げることができる。
【発明を実施するための最良の形態】
【０００８】
次に、この発明の実施形態を図面に基づいて説明する。
【０００９】
図１および図２は一実施の形態を示したもので、その蛍イカ様ルアーＲａは、プラスチックにより小魚に似せたプラグとして形成されている。つまり、先端に小魚の口１、目２、エラ３が、また、それ以後にはウロコ４がそれぞれ凹凸模様により形成され、また、内部がほゞ全体的に中空であって、腹部に前後重り５，５が保持部６，６に納めて内装される。そして、後の保持部６が内部空間を不完全ながら仕切り、それより後部が尾部室８となっている。なお、先端に釣り糸７を掛けるアイ９を、腹部と尾部とにフック１１，１１を掛けるアイ１３，１３がそれぞれ突設される。
【００１０】
このように普通のプラグの形態に形成されているが、頭部と背部を蛍イカ状に茶色に着色され、腹部と後部へ順次薄い色になし、後部は無着色において透明ないし半透明になっている。そして、尾部室８に相当する後部の外面には、蛍イカの足模様１５が黒又は黒褐色等の色の線で表してある。したがって、内部の尾部室８が不透明な足模様１５の線の間から透けて見え、そこには蛍光玉１７が内装される。蛍光玉１７の数は１個または数個とする。これによって足の発光器がイメージされる。
【００１１】
また、足模様１５の付け根の位置において両脇腹に目玉模様１９，１９が設けられる。これは目玉模様１９，１９のシールを貼着したもので、発光器をイメージするきらきら光る金色または山吹色の真ん中に黒く目玉が表されている。
【００１２】
図３は、他の実施形態を示したもので、その蛍イカ様ルアーＲｂは、無垢に形成するとともに、後端部のみを中空にしてそこに尾部室８を形成したもので、尾部室８の部分のみが透明ないし半透明となっている。そして、この場合は、背部と腹部とに沿って濃く茶色に表し、側面が薄く茶色に表される。そして、尾部室８に蛍光玉１７が内装され、両側面に目玉模様１９，１９が貼着により表されている。
【００１３】
図４は、実際の蛍イカを遊泳状態で見たもので、上記ルアーＲａ，Ｒｂが基本的に小魚に似せたルアーであるにもかかわらず、実際の蛍イカにイメージ的に似ている。特に、目玉模様１９，１９の位置、足模様１５の位置がほゞ一致している。また、目玉模様１９，１９の金色が眼球発光器１９ａ，１９ａをイメージし、蛍光玉１７が腕（足）発光器１７ａを表現していると言える。さらに、実際の蛍イカには腹面発光器２１ａも有するが、これも表現することがある。
【００１４】
なお、この発明において、「小魚に似せたルアー」とは、小魚に似ておれば、必ずしも、口１、目玉２、エラ３、ウロコ４を有しなくても良いものとする。
【図面の簡単な説明】
【００１５】
【図１】この発明の一実施形態を示す蛍イカ様ルアーの斜視図である。
【図２】同蛍イカ様ルアーを一部破断して示す側面図である。
【図３】他の実施形態を示す蛍イカ様ルアーの一部破断した側面図である。
【図４】実際の蛍イカを示す斜視図である。
【符号の説明】
【００１６】
Ｒａ，Ｒｂ  蛍イカ様ルアー
８  尾部室
１５  足模様
１９  目玉模様
【図１】
2006197827.tif 000003
【図２】
2006197827.tif 000004
【図３】
2006197827.tif 000005
【図４】
2006197827.tif 000006